(57)【要約】【課題】糖の鋳型重合における高選択性の充填剤を提供すること。【解決手段】メタクリル酸、４−ビニルピリジンなどのモノマー、エチレンジメタクリレート、メチレンビスアクリルアミドなどの架橋剤、トルエンなどの溶媒を用いて二段階膨潤重合法で重合を行い、得られたポリマーにガラクトース、グルコース、マンノースなどの糖を吸着させて加熱処理を施すことで製造されたポリマーゲルをクロマトグラフィー用充填剤として用いる。【選択図】図１
2006291225.tif 000002
【特許請求の範囲】
【請求項１】
メタクリル酸または４−ビニルピリジンであるモノマー、架橋剤、溶媒を原料として重合で得られたポリマーに糖を吸着させて加熱処理を施すことを特徴とするポリマーゲル充填剤の表面改質方法。
【請求項２】
糖がガラクトース、グルコースおよびマンノースからなる群より選択される請求項１に記載の表面改質方法。
【請求項３】
架橋剤がエチレンジメタクリレートまたはメチレンビスアクリルアミドである請求項１または請求項２に記載の表面改質方法。
【請求項４】
溶媒がトルエンである、請求項１ないし３のいずれか１項に記載の表面改質方法。
【発明の詳細な説明】
【技術分野】
【０００１】
本発明は、ポリマーゲル充填剤の表面改質方法に関する。
【背景技術】
【０００２】
タンパク質であるレクチンのように、糖類を特異的に識別する高分子ホストの研究が活発に行われている。その調製法の１つとして、分子インプリント法を用いた手法が提案されている。
【０００３】
分子インプリント法は、特異的な分子認識能を有する高分子の調製法として注目されている。その一般的な調製法は、ホストとなるモノマーとゲストとなるプリント分子を試験管等に入れ重合する、いわゆる塊状重合法を用いるのが一般的である。具体的には、まずプリント分子とモノマーを加える。このとき、プリント分子とモノマーとの間には非共有結合型の相互作用が形成される。次に架橋剤を加え、重合を開始する。重合終了後、高分子を洗浄し、プリント分子を除去する。得られた高分子には、プリント分子の大きさと官能基の位置を記憶したサイトが調製される。かかる分子インプリント法を図１に模式的に示す。
【０００４】
この塊状重合法は系中に水が存在しないので、ホストモノマーとプリント分子との間に形成される水素結合等の弱い相互作用が阻害されない利点がある。しかし、この重合では、一般的に油溶性のプリント分子しか適用できない制限があり、特に、生体高分子の代替として、水溶性物質を特異的に認識する合成高分子を調製する場合に問題となる。例えば、糖を鋳型とする分子インプリント法の問題点として、水をはじめとする極性溶媒に鋳型を溶解させねばならず、ホストモノマーと鋳型との間の相互作用が不利になる点が挙げられる。
【０００５】
近年、単糖類を鋳型とした水媒体中での分子インプリント法について報告されている（例えば非特許文献１，２参照）。また、鋳型をホストに存在させた状態で、１２０℃に加熱することで、鋳型に対する識別能が大きくなる報告もなされている（例えば非特許文献３参照）。
【０００６】
しかしながら、鋳型として用いた糖に対して、まだ十分な識別能を発現するまでに至っていない。
さらに、塊状重合法で得られた高分子の塊は、粉砕することでＨＰＬＣ（高速液体クロマトグラフィー）用充填剤として利用可能であるものの、分級などの操作が煩雑であり、また、粒子径が不均一であることから得られるカラムの性能が高くないという欠点があった。
【非特許文献１】細矢他、第４５回高分子学会予稿集、４５（１９９６）１７６４
【非特許文献２】K.Tsukagoshi et al., Chem. Lett., 1994, 681）
【非特許文献３】B. Sellergen et al., J. Chromatogr., 635 (1993) 31
【発明の開示】
【発明が解決しようとする課題】
【０００７】
本発明の目的は、これまでの調製法（塊状重合法）の問題点を克服し、糖を特異的に認識するポリマーゲル充填剤の表面改質方法を提供することである。
【課題を解決するための手段】
【０００８】
本発明者は、鋭意研究の結果、メタクリル酸および架橋剤を用いて重合を行い、さらに鋳型分子である糖の存在下に加熱処理を施した場合に、糖類に対する選択識別性がより大きく発現することを見いだした。さらに、その選択識別性は鋳型だけではなく鋳型と類似の構造を有する糖類にも及ぶことを見いだした。本発明はこれらの知見に基づいて完成したものである。
【０００９】
すなわち本発明は、メタクリル酸または４−ビニルピリジンであるモノマー、架橋剤、溶媒を原料として重合で得られたポリマーに糖を吸着させて加熱処理を施すことを特徴とするポリマーゲル充填剤の表面改質方法に関する。
【発明の効果】
【００１０】
糖を鋳型として調製した本発明のポリマーゲルからなるクロマトグラフィー用充填剤は、糖類に対する選択性がより大きく発現する。しかもその選択性は鋳型だけを識別するのではなく、アルドペントース／アルドヘキソース、Ｎ−アセチルヘキソサミンをそれぞれ２つのグループとして識別した。したがって、本発明は糖の鋳型重合における高選択性の充填剤の提供を可能にし、糖質の分析に止まらず複合糖質全般の分離に大きく寄与するものと考えられる。
【発明を実施するための最良の形態】
【００１１】
本発明において用いる糖（プリント分子）としてはガラクトース（Ｇａｌ）、グルコース（Ｇｌｃ）、マンノース（Ｍａｎ）等の単糖類が挙げられる。本発明において用いるモノマー（ホストモノマー）としては、メタクリル酸（ＭＡ）あるいはビニルピリジン（ＶＰ）が挙げられる。また、本発明において用いる架橋剤としては、エチレンジメタクリレート（ＥＤＭＡ）またはメチレンビスアクリルアミドが挙げられる。さらに、本発明において用いる溶媒としては、トルエンが挙げられる。
【００１２】
本発明においてモノマー、架橋剤および溶媒を用いて行う重合における重合条件は次の通りである。すなわち、温度は室温〜５０℃程度であり、重合時間は４時間〜８時間である。なお、重合方法としては光重合を用いることもできる。
【００１３】
重合終了後に溶媒を除去し、目的とするポリマーゲルを得る。さらに、重合終了後に溶媒を除去して得られたポリマーに糖を吸着させ、加熱処理を施す。この場合、加熱温度は一般に１００℃〜３００℃の範囲が好ましく、特に２５０℃前後が好ましい。
【００１４】
このようにして製造された本発明のポリマーゲルは、糖質の分析および複合糖質全般の分離を目的とする高速液体クロマトグフィー（ＨＰＬＣ）、キャピラリー電気クロマトグラフィー（ＣＥＣ）等種々のクロマトグフィーの充填剤として使用することができる。上記ポリマーゲルをクロマトグフィーの充填剤として使用する場合におけるポリマーゲルのポリマー粒子の粒子径は、使用するクロマトグラフィーの種類、分離する対象となる物質の種類等に応じて適宜設定することができる。望ましい粒子径は、通常は２μｍ〜３００μｍ，好ましくは２μｍ〜２０μｍであるが、この範囲に限定されない。
【００１５】
以下の実施例により本発明をさらに詳細に説明するが、本発明は実施例によって何ら制限されるものではない。
【実施例１】
【００１６】
架橋剤としてエチレンジメタクリレート２ｍｌ（１１ミリモル）、溶媒としてトルエン４ｍｌを原料として二段階膨潤重合法で５０℃で重合反応し、さらに得られたポリマーゲル表面にホストモノマーとしてメタクリル酸１ｍｌ（１２ミリモル）、架橋剤としてメチレンビスアクリルアミド０．５ｇ（３ミリモル）を重合で導入した。重合反応終了後、ポリマーゲルを洗浄し、グルコースをポリマーゲル表面に吸着させ、２５０℃で３０分間加熱処理を施した。得られたポリマー粒子を充填剤とする高速液体クロマトグラフィーを用いて下記の条件下で、Ｄ−キシロース（Ｘｙｌ）、Ｌ−アラビノース（Ａｒａ）、Ｄ−マンノース（Ｍａｎ）、Ｎ−アセチルＤ−グルコサミン（ＧｌｃＮＡｃ）、Ｎ−アセチル−Ｄ−ガラクトサミン（ＧａｌＮＡｃ）、Ｄ−グルコース（Ｇｌｃ）およびＤ−ガラクトース（Ｇａｌ）の糖混合物を用いて糖類の識別を調べた。
【００１７】
クロマトグラフィー条件：
移動相：９５％アセトニトリル水溶液および９０％アセトニトリル水溶液流速：１ｍｌ／分
カラムサイズ：４．６ｍｍ（ｉ.ｄ.）×１５０ｍｍ
カラム温度：３０℃
検出：ＲＩ
結果を図２に示す。図２から次のことが分かる。
（１）鋳型を入れずに加熱処理した場合、糖類に対する選択性は加熱処理前と大きく変化しない。
（２）鋳型を入れた効果について比較すると、加熱処理することで、アミド基を有する糖類に対する選択性が大きく変化することが示された。
（３）その選択性は鋳型だけを識別するものではなく、特に、アセチルヘキソサミンとアルドペントース／アルドヘキソースを２つのグループとして識別する。
（４）鋳型が存在する条件で加熱処理することで、充填剤表面のカルボキシル基の状態に何らかの変化が生じ、アミド基との相互作用が変化したものと推測される。
【００１８】
なお、図２において、縦軸および横軸の符号は下記の意味を表す。
【００１９】
【表１】
2006291225.tif 000003
【実施例２】
【００２０】
ホストモノマーとしてビニルピリジンを用いて、実施例１に記載されたポリマー粒子を充填剤とする高速液体クロマトグラフィーを用いて下記の条件下で、Ｄ−ガラクトース（Ｇａｌ）、Ｌ−アラビノース（Ａｒａ）、Ｄ−グルコース（Ｇｌｃ）、Ｄ−キシロース（Ｘｙｌ）、Ｄ−マンノース（Ｍａｎ）およびＤ−リキソース（Ｌｙｘ）の糖混合物を用いて糖類の識別を調べた。
【００２１】
クロマトグラフィー条件：
移動相：８５％アセトニトリル水溶液
流速：１ｍｌ／分
カラムサイズ：４．６ｍｍ（ｉ.ｄ.）×１５０ｍｍ
カラム温度：５０℃
検出：ＲＩ
注入量：１４０ｎｍｏｌ
結果を表２に示す。下記表２に示すように、ホストモノマーとしてビニルピリジンを用いた場合においても、糖類の識別に関して、メタクリル酸をホストモノマーとした場合と同様に、グループにより識別する傾向を示した。
【００２２】
【表２】
2006291225.tif 000004
【実施例３】
【００２３】
ホストモノマーとしてメタクリル酸を用いたポリマーについて、加熱時間によるイオン交換容量の変化を測定したところ、下記表３に示すように、加熱時間が長くなるに従ってイオン交換容量の減少が見られた。なお、イオン交換容量の測定条件は次の通りである。
【００２４】
ポリマーを内径４．６ｍｍ、長さ１５０ｍｍのカラムに充填した。次にそのカラムに０．１Ｎ塩化カリウム水溶液を通液し、溶出溶液を０．１Ｎ水酸化カリウム水溶液で滴定することによりイオン交換容量を求めた。
【００２５】
【表３】
2006291225.tif 000005
【００２６】
ホストモノマーとしてメタクリル酸を用いたポリマーについて、加熱処理によるポリマーの組成変化は見られないことをＦＴ−ＩＲスペクトルにより確認した。
【実施例４】
【００２７】
濃度が１．７μｍｏｌ／Ｌの酢酸水溶液、並びに酢酸１．７μｍｏｌ／ＬおよびＤ−グルコース０．１７μｍｏｌ／Ｌを含む水溶液を用いて、両者のＵＶスペクトルを測定した。また、濃度が４７ｍｇ／Ｌのポリメタクリル酸水溶液、並びにポリメタクリル酸４７ｍｇ／ＬおよびＤ−グルコース５８μｍｏｌ／Ｌを含む水溶液を用いて、同様にして両者のＵＶスペクトルを測定した。結果を図３および図４に示す。両者の図から次のことが分かる。
（１）ポリメタクリル酸のｎ→π°遷移による吸収帯において、水中でグルコースの存在により、浅色移動と濃色効果が見られ、モノメリックな酢酸ではこのような顕著な差異が見られなかった。
（２）ポリメタクリル酸とグルコースは、水中においても水素結合により相互作用する可能性がある。
【００２８】
糖類および官能基に関する加熱時間による識別能への影響を調べたところ、下記表４に示すように、糖を鋳型として加熱処理することで、単糖およびアミンの保持に関して相対的に有利になる傾向を示した。加熱処理によりイオン交換基が消失するものの、鋳型が存在することにより、その減少が抑制されたか、または、ある部位にイオン交換基が集中して残存したと推測される。
【００２９】
【表４】
2006291225.tif 000006
【００３０】
なお、上記表４における各物質の測定条件は以下の通りである。
（１）Ｄ−キシロース、Ｄ−グルコース、Ｎ−アセチル−Ｄ−グルコサミンの場合
移動相：９８％アセトニトリル水溶液
流速：１ｍＬ／分
カラムサイズ：４．６ｍｍ（ｉ.ｄ.）×１５０ｍｍ
カラム温度：３０℃
検出：ＲＩ
注入量：１４０ｎｍｏｌ
（２）トリエチルアミン、ジエチレントリアミンの場合
移動相：ｐＨ４．８クエン酸緩衝液
流速：１ｍＬ／分
カラムサイズ：４．６ｍｍ（ｉ.ｄ.）×１５０ｍｍ
カラム温度：３０℃
検出：ＲＩ
注入量：１４０ｎｍｏｌ
【図面の簡単な説明】
【００３１】
【図１】分子インプリント法の工程を説明した図である。
【図２】ホストモノマーとしてメタクリル酸を用い加熱処理することにより調製したポリマーゲル充填剤による糖の識別能を示すグラフである。
【図３】酢酸による糖の識別を表すＵＶスペクトルである。
【図４】ポリメタクリル酸による糖の識別を表すＵＶスペクトルである。
【図１】
2006291225.tif 000007
【図２】
2006291225.tif 000008
【図３】
2006291225.tif 000009
【図４】
2006291225.tif 000010